【手続補正書】
【提出日】平成27年1月22日(2015.1.22)
【手続補正１】
【補正対象書類名】特許請求の範囲
【補正対象項目名】全文
【補正方法】変更
【補正の内容】
【特許請求の範囲】
【請求項１】
少なくとも１つの無線アクセス技術（ＲＡＴ）からの送信電力を測定することと、
前記測定された送信電力が、固有吸収率（ＳＡＲ）の閾値に関連付けられた値を超えたとき、および、少なくとも１つのＲＡＴからの前記送信電力を減少させることが第１のＲＡＴの送信を第２のＲＡＴの送信とデュープレクス化するより低いスループットになるとき、前記第２のＲＡＴが送信していないときに前記第１のＲＡＴが送信するように、前記第１のＲＡＴの前記送信を前記第２のＲＡＴの前記送信とデュープレクス化することと、を備える、ユーザ装置におけるワイヤレス通信のための方法。
【請求項２】
前記測定することは、
前記第１のＲＡＴからの第１の送信電力を測定することと、
前記第２のＲＡＴからの第２の送信電力を測定することと、
を備え、
デュープレクス化することは、さらに、前記測定された送信電力の合計が、前記固有吸収率（ＳＡＲ）の閾値を超えたとき、前記第１のＲＡＴの送信を前記第２のＲＡＴの送信とデュープレクス化すること、
を備える請求項１記載の方法。
【請求項３】
デュープレクス化することは、時分割デュープレクス化することである
請求項１記載の方法。
【請求項４】
前記第１のＲＡＴは、時分割デュープレクス化（ＴＤＤ）ＲＡＴであり、
前記第２のＲＡＴによる送信は、前記第１のＲＡＴの受信時間に制限されている請求項３記載の方法。
【請求項５】
デュープレクス化することは、日和見的である
請求項１記載の方法。
【請求項６】
デュープレクス化することは、決定論的である
請求項１記載の方法。
【請求項７】
プログラムを記憶しているメモリと、
前記メモリに組み合わされた少なくとも１つのプロセッサと、
を備え、
前記少なくとも１つのプロセッサは、前記プログラムの実行時に下記のこと、即ち、
少なくとも１つの無線アクセス技術（ＲＡＴ）からの送信電力を測定することと、
前記測定された送信電力が、固有吸収率（ＳＡＲ）の閾値に関連付けられた値を超えたとき、および、少なくとも１つのＲＡＴからの前記送信電力を減少させることが第１のＲＡＴの送信を第２のＲＡＴの送信とデュープレクス化するより低いスループットになるとき、前記第２のＲＡＴが送信していないときに前記第１のＲＡＴが送信するように、前記第１のＲＡＴの前記送信を前記第２のＲＡＴの前記送信とデュープレクス化することと、
を実行するように構成されているワイヤレス通信のための装置。
【請求項８】
前記少なくとも１つのプロセッサは、
前記第１のＲＡＴからの第１の送信電力を測定することによって、
および、前記第２のＲＡＴからの第２の送信電力を測定することによって、
測定するように構成されており
前記少なくとも１つのプロセッサは、
前記測定された送信電力の合計が、前記固有吸収率（ＳＡＲ）の閾値を超えたとき、前記第１のＲＡＴの送信を前記第２のＲＡＴの送信とデュープレクス化することによってデュープレクス化するように構成されている
請求項７記載の装置。
【請求項９】
前記少なくとも１つのプロセッサは、
時分割デュープレクス化によりデュープレクス化するよう構成されている
請求項７記載の装置。
【請求項１０】
前記第１のＲＡＴは、時分割デュープレクス化（ＴＤＤ）ＲＡＴであり、
前記第２のＲＡＴによる送信は、前記第１のＲＡＴの受信時間に制限されている請求項９記載の装置。
【請求項１１】
前記少なくとも１つのプロセッサは、
日和見的なデュープレクス化に構成されている
請求項７記載の装置。
【請求項１２】
前記少なくとも１つのプロセッサは、
決定論的なデュープレクス化に構成されている
請求項７記載の装置。
【請求項１３】
ワイヤレスネットワークにおけるワイヤレス通信のためのコンピュータプログラム製品であって、前記コンピュータプログラム製品は、
プロセッサによって実行されるときに下記のこと、即ち、
少なくとも１つの無線アクセス技術（ＲＡＴ）からの送信電力を測定することと、
前記測定された送信電力が、固有吸収率（ＳＡＲ）の閾値に関連付けられた値を超えたとき、および、少なくとも１つのＲＡＴからの前記送信電力を減少させることが第１のＲＡＴの送信を第２のＲＡＴの送信とデュープレクス化するより低いスループットになるとき、前記第２のＲＡＴが送信していないときに前記第１のＲＡＴが送信するように、前記第１のＲＡＴの前記送信を前記第２のＲＡＴの前記送信とデュープレクス化することと、
を実行する非一時的なプログラムコードを記憶している
非一時的なコンピュータ可読媒体を備える
コンピュータプログラム製品。
【請求項１４】
前記測定することは、
少なくとも１つの無線アクセス技術（ＲＡＴ）からの送信電力を測定することを備え、
前記デュープレクス化することは、前記測定された送信電力が、固有吸収率（ＳＡＲ）の閾値に関連付けられた値を超えたとき、前記第１のＲＡＴの送信を前記第２のＲＡＴの送信とデュープレクス化することをさらに備える、
請求項１３記載のコンピュータプログラム製品。
【請求項１５】
ワイヤレス通信のための装置であって、前記装置は、
少なくとも１つの無線アクセス技術（ＲＡＴ）からの送信電力を測定するための手段と、
前記測定された送信電力が、固有吸収率（ＳＡＲ）の閾値に関連付けられた値を超えたとき、および、少なくとも１つのＲＡＴからの前記送信電力を減少させることが第１のＲＡＴの送信を第２のＲＡＴの送信とデュープレクス化するより低いスループットになるとき、前記第２のＲＡＴが送信していないときに前記第１のＲＡＴが送信するように、前記第１のＲＡＴの前記送信を前記第２のＲＡＴの前記送信とデュープレクス化するための手段と、を有するワイヤレス通信のための装置。
【請求項１６】
前記デュープレクス化するための手段は、
日和見的または決定論的である
請求項１５記載の装置。
【手続補正２】
【補正対象書類名】明細書
【補正対象項目名】００９６
【補正方法】変更
【補正の内容】
【００９６】
[0096]  任意の当業者が、本開示を作りまたは使用することを可能にするために、開示された態様の前記の記述は、提供される。これらの態様に対する様々な変更は、当業者に容易に明白であり、ここにおいて定義された一般的な原理は、本開示の範囲または精神を逸脱することなく他の態様に適用され得る。したがって、本開示は、ここに示された態様に限定されるようには意図されず、ここに開示された新規な特徴および原理と一致する最も広い範囲と考えられるべきである。
以下に本願発明の当初の特許請求の範囲に記載された発明を付記する。
［１］  少なくとも１つの無線アクセス技術（ＲＡＴ）からの送信電力を測定することと、前記測定された送信電力が、固有吸収率（ＳＡＲ）の閾値に関連付けられた値を超えたとき、第１のＲＡＴの送信を第２のＲＡＴの送信とデュープレクス化することと、を備えるワイヤレス通信のための方法。
［２］  前記測定することは、前記第１のＲＡＴからの第１の送信電力を測定することと、前記第２のＲＡＴからの第２の送信電力を測定することと、を備え、デュープレクス化することは、さらに、前記測定された送信電力の合計が、前記固有吸収率（ＳＡＲ）の閾値を超えたとき、前記第１のＲＡＴの送信を前記第２のＲＡＴの送信とデュープレクス化すること、を備える［１］記載の方法。
［３］  デュープレクス化することは、時分割デュープレクス化することである［１］記載の方法。
［４］  前記第１のＲＡＴは、時分割デュープレクス化（ＴＤＤ）ＲＡＴであり、前記第２のＲＡＴによる送信は、前記第１のＲＡＴの受信時間に制限されている［３］記載の方法。
［５］  デュープレクス化することは、日和見的である［１］記載の方法。
［６］  デュープレクス化することは、決定論的である［１］記載の方法。
［７］  前記デュープレクス化することは、少なくともＲＡＴからの送信電力を減少させることが、前記第１のＲＡＴの前記送信を前記第２のＲＡＴの前記送信とデュープレクス化するより低いスループットになるときのみに発生する［１］記載の方法。
［８］  メモリと、前記メモリに組み合わされた少なくとも１つのプロセッサと、を備え、前記少なくとも１つのプロセッサは、少なくとも１つの無線アクセス技術（ＲＡＴ）からの送信電力を測定するように、前記測定された送信電力が、固有吸収率（ＳＡＲ）の閾値に関連付けられた値を超えたとき、第１のＲＡＴの送信を第２のＲＡＴの送信とデュープレクス化するように構成されているワイヤレス通信のための装置。
［９］  前記少なくとも１つのプロセッサは、前記第１のＲＡＴからの第１の送信電力を測定することによって、および、前記第２のＲＡＴからの第２の送信電力を測定することによって、測定するように構成されており前記少なくとも１つのプロセッサは、前記測定された送信電力の合計が、前記固有吸収率（ＳＡＲ）の閾値を超えたとき、前記第１のＲＡＴの送信を前記第２のＲＡＴの送信とデュープレクス化することによってデュープレクス化するように構成されている［８］記載の装置。
［１０］  前記少なくとも１つのプロセッサは、時分割デュープレクス化によりデュープレクス化するよう構成されている［８］記載の装置。
［１１］  前記第１のＲＡＴは、時分割デュープレクス化（ＴＤＤ）ＲＡＴであり、前記第２のＲＡＴによる送信は、前記第１のＲＡＴの受信時間に制限されている［１０］記載の装置。
［１２］  前記少なくとも１つのプロセッサは、日和見的なデュープレクス化に構成されている［８］記載の装置。
［１３］  前記少なくとも１つのプロセッサは、決定論的なデュープレクス化に構成されている［８］記載の装置。
［１４］  前記少なくとも１つのプロセッサは、少なくともＲＡＴからの前記送信電力を減少させることが、前記第１のＲＡＴの前記送信を前記第２のＲＡＴの前記送信とデュープレクス化するより低いスループットになるときのみに、デュープレクス化するように構成されている［８］記載の装置。
［１５］  記録された非一時的なプログラムコードを有する非一時的なコンピュータ可読媒体を備え、前記プログラムコードは、少なくとも１つの無線アクセス技術（ＲＡＴ）からの送信電力を測定するためのプログラムコードと、前記測定された送信電力が、固有吸収率（ＳＡＲ）の閾値に関連付けられた値を超えたとき、第１のＲＡＴの送信を第２のＲＡＴの送信とデュープレクス化するためのプログラムコードと、を有するワイヤレスネットワークにおけるワイヤレス通信のためのコンピュータプログラム製品。
［１６］  測定するための前記プログラムコードは、少なくとも１つの無線アクセス技術（ＲＡＴ）からの送信電力を測定するように構成され、デュープレクス化するための前記プログラムコードは、前記測定された送信電力が、固有吸収率（ＳＡＲ）の閾値に関連付けられた値を超えたとき、前記第１のＲＡＴの送信を前記第２のＲＡＴの送信とデュープレクス化するように構成されている、［１５］記載のコンピュータプログラム製品。
［１７］  デュープレクス化するための前記プログラムコードは、少なくともＲＡＴからの送信電力を減少させることが、前記第１のＲＡＴの前記送信を前記第２のＲＡＴの前記送信とデュープレクス化するより低いスループットになるときのみにデュープレクス化するように構成されている［１５］記載のコンピュータプログラム製品。
［１８］  少なくとも１つの無線アクセス技術（ＲＡＴ）からの送信電力を測定するための手段と、前記測定された送信電力が、固有吸収率（ＳＡＲ）の閾値に関連付けられた値を超えたとき、第１のＲＡＴの送信を第２のＲＡＴの送信とデュープレクス化するための手段と、を有するワイヤレス通信のための装置。
［１９］  前記デュープレクス化するための手段は、日和見的または決定論的である
［１８］記載の装置。
［２０］  前記デュープレクス化するための手段は、少なくともＲＡＴからの前記送信電力を減少させることが、前記第１のＲＡＴの前記送信を、前記第２のＲＡＴの前記送信とデュープレクス化するより低いスループットになるときのみにデュープレクス化するように構成されている［１８］記載の装置。